(57)【要約】【課題】複数台の屋内有線放送受信機への各種設定情報の遠隔一括記憶設定手段を提供する。【解決手段】放送送信機とデータ送信機とを内蔵する屋内有線放送送信装置を設けるとともに、該データ送信機に各種データ設定用パソコンを接続し、該放送送信機からの送出信号と該データ送信機からの送出信号を合成する手段を屋内有線放送信装置内に設け、この合成信号を各屋内有線放送受信機に分配するための複数個の分配器を設け、該屋内有線放送受信機内に、該分配器から送られてくる信号を分配してＦＭ受信機とデータ受信機に出力される信号を分配出力する分配器と、ＦＭ受信機と、データ受信機と、制御用マイコンと、有線放送波の局名・周波数・音量を表示する表示器とを設けたことを特徴とする。【選択図】図１
2020036301.tif 000002
【特許請求の範囲】
【請求項１】
屋内有線放送設備において、有線放送送信装置から有線方式で送信される複数の放送波信号を複数の屋内有線放送受信機に分配し、該有線放送受信機で必要な放送波を選択して受信復調する場合において、有線放送送信設備から送信される複数の有線放送波のチャンネル周波数をあらかじめ屋内有線放送受信機に記憶させておく方法として、個別の屋内有線放送受信機毎に設定することなく、有線放送送信設備から全チャンネルの周波数設定記憶信号を送信し、別設の分配器に分配接続されている屋内有線放送受信機で受信し、有線放送全チャンネルの周波数設定情報を該有線受信機に一括記憶することを特徴とする有線放送受信機の全チャンネル周波数遠隔一括記憶設定方法。
【請求項２】
有線放送設備から送信される全チャンネルの周波数設定記憶信号を、放送局からの受信情報と各種データ設定用パソコンからのデータを取り込んだデータ送信機からの発信情報を合成したものとした請求項１記載の有線放送受信機の全チャンネル周波数遠隔一括記憶設定方法。
【発明の詳細な説明】
【技術分野】
【０００１】  この発明は、屋内有線放送設備における有線放送受信機の放送チャンネルの一括記憶設定方法に関する。
【背景技術】
【０００２】  従来より、屋内有線放送送信装置からの信号を分配器を介して設定する方法はあるが、本発明にて示すように、パソコンによる一括設定手段は現在のところ見当たらない。
【発明の概要】
【発明が解決しようとする課題】
【０００３】  屋内設置の有線放送設備では、有線放送送信設備から複数の有線放送波を送信して、複数個所に設置した有線放送受信機に分配して受信聴取するが、聴取チャンネルの選定を容易とするため、有線放送受信機ではあらかじめ複数の有線放送波チャンネル周波数を記憶設定しておく必要がある。しかし、有線放送受信機は分散して複数個所に設定されていることから、受信機毎に有線放送波チャンネル周波数を記憶設定するには手間がかかり、また運用中に有線放送波チャンネルの増減、変更を行う場合はより煩雑となる課題があった。
【課題を解決するための手段】
【０００４】  本発明では、分散して設置された複数の有線放送受信機にて、受信する複数の放送チャネルを記憶設定する方法として、有線放送受信機毎に設定するのではなく、設置されている有線放送送信設備から送信する全チャンネル周波数の設定記憶信号を、有線放送伝送設備から分配して接続されている有線放送受信機で同時に受信し全受信チャンネル周波数を自動で一括記憶設定するものとした。
すなわち、屋内有線放送設備において、有線放送送信装置から有線方式で送信される複数の放送波信号を複数の屋内有線放送受信機に分配し、該有線放送受信機で必要な放送波を選択して受信復調する場合において、有線放送送信設備から送信される複数の有線放送波のチャンネル周波数をあらかじめ屋内有線放送受信機に記憶させておく方法として、個別の屋内有線放送受信機毎に設定することなく、有線放送送信設備から全チャンネルの周波数設定記憶信号を送信し、別設の分配器に分配接続されている屋内有線放送受信機で受信し、有線放送全チャンネルの周波数設定情報を該有線受信機に一括記憶する。
本発明は、以上の構成よりなる有線放送受信機の全チャンネル周波数遠隔一括記憶設定方法である。
【発明の効果】
【０００５】  本発明では有線放送受信機において、有線放送波の全受信チャンネル周波数の記憶設定操作を、有線放送受信機毎に行うことなく、有線放送波送信装置の操作のみで、分配接続されている有線放送受信機に、全受信チャンネルの記憶設定を一括で行うことが可能となり大幅な省力化が実現できる。
従来は、有線放送受信機のチャンネル周波数の記憶設定は、個別の有線放送受信機毎に、チャンネル毎もしくは全チャンネルを一括して行っていたが、本発明方式を実施することで、個別の有線放送受信機を操作することなく、有線放送送信装置から送られる全チャンネル周波数の一括記憶設定信号により、接続される有線放送受信機の全チャンネル周波数を遠隔で記憶設定することが可能となる。
【図面の簡単な説明】
【０００６】
【図１】本発明の構成説明図
【図２】従来方式の構成説明図
【図３】従来方式の他例構成説明図
【発明を実施するための形態】
【０００７】  以下、本発明の実施形態について説明する。
この発明の実施形態を、図１に示す。１が屋内有線放送送信装置で、放送波送信機（放送送信機）と、データ送信機から構成されている。２は送信する各種データを設定するパソコンで、有線放送波の全チャンネル周波数設定情報をデータ送信機へ送り、このパソコンからの制御により屋内有線放送設備に接続されている、全有線放送用受信機へ向け有線放送波の全チャンネル周波数設定記憶情報を送信する機能を持つ。
３と４が屋内有線放送送信装置から送られる送信波の構成で、３はデータ送信機から送信される各種のデータ送信波で、送信データの中に有線放送波の全チャンネル周波数を記憶設定する情報を含んでいる。４は有線放送送信波で、相互に干渉しないように一定以上の周波数間隔にて複数が設定されている。
【０００８】  ５が有線放送波及び各種データ信号の分配器で、１の屋内有線放送送信装置から送信されてくる信号を分配して、６の屋内有線放送受信機に出力する。７から１１は屋内有線放送受信機の内部構成である。７は分配器で、送られてくる信号を分配してＦＭ受信機とデータ受信機に出力する。８はＦＭ受信機で、有線放送送信装置から送られてくる有線放送送信波を受信復調して音声出力する。
９はデータ信号受信機（データ受信機）で、有線放送送信装置から送られてくる各種データ信号を受信し１０の制御用マイコンに受け渡す。制御用マイコンは、８のＦＭ受信機を制御して、聴取する有線放送チャンネル、音量の設定等を行う他、屋内有線放送送信装置から送られてくるデータ信号を解析して、有線放送の全チャンネル周波数を一括記憶設定する情報により有線放送の全チャンネルを記憶設定する。１１は有線放送受信機の表示器で、有線放送波の局名、周波数、音量と各種情報を表示する。
以上が本発明の一実施形態である。
以上のように、本発明では各種データ設定用パソコンの操作にて、複数台設置されている屋内有線放送受信機の一括記憶設定を行うことができる。
【０００９】［従来法その１］
図２は、従来技術による有線放送チャンネル周波数の記憶設定方法である。２０は屋内有線放送送信装置で、有線放送波を送信する送信機のみで構成されている。
２１は分配器で、屋内有線放送送信装置から送信される有線放送波信号を分配して２２の屋内有線放送受信機に出力する。
２３から２６は屋内有線放送受信機の構成を示したもので、２３はＦＭ受信機で、屋内有線放送送信装置から送られてくる有線放送波信号を受信復調して音声を出力する。
２４は操作用スイッチで、あらかじめ決められた方法で操作スイッチを操作することで、２５の制御用マイコンに放送波チャンネル周波数の記憶設定信号を送り、有線放送チャンネル周波数、チャンネル番号を、２５のマイコンに記憶させる。
２６は表示器で、本発明同様に有線放送波の局名、周波数、音量その他の各種情報を表示する。この従来法では、屋内有線放送受信機毎に操作スイッチの操作にて、各種の細かな設定を行わねばならないという煩雑さがある。
【００１０】［従来法その２］
図３が別の従来技術による放送波全チャンネル周波数記憶設定方法を説明した図で、３０が屋内有線放送送信装置で、放送波送信機のみで構成され、複数の有線放送波を送信する。３１は分配器で、屋内有線放送送信装置から送信される有線放送波信号を分配して３２の屋内有線放送受信機に出力する。
３３から３７は屋内有線放送受信機の内部構成を示したもので、３３はＦＭ受信機で、屋内有線放送送信装置から送られてくる有線放送波信号を受信復調して音声を出力する。
３４は操作スイッチで、このスイッチを操作することで３６の制御用マイコンに、聴取する有線放送波チャンネル番号、復調音量等の操作信号を送る。この制御用マイコンは３４の操作スイッチからの操作信号をもとに、３３のＦＭ受信機に有線放送波チャンネル周波数の設定、復調音量設定等の信号を送り、３７の表示器に有線放送波チャンネル番号、周波数、復調音量の表示信号を送る。
３５は、３６の制御用マイコンに有線放送波全チャンネルの周波数記憶設定用データを送るパソコンで、３６の制御用マイコンは、パソコン３５から送られる有線放送波全チャンネルの周波数記憶設定用データを受信してこのマイコンに記憶する。
この従来法では、前の従来法に比べパソコンでの各種設定が可能であって、各屋内有線放送受信機毎の細かな設定をパソコンで行う便利さはあるが、しかし、この設定は各受信機毎に行わねばならない。
【００１１】  以上、本発明および従来法について説明したが、本発明は各種データ設定用パソコンの操作にて、従来法ではなし得なかった複数台の屋内放送受信機の一括設定を可能とする、画期的とも云える利便性を有するものである。
従来法では、各受信機毎の設定が必要であり、最初に説明した従来法では、個別の受信機に対する操作スイッチによる個別の各種設定が必要である。
二番目に説明した従来法では、パソコンを用いた方法にて、個別の受信機の一括設定は可能であるものの各受信機に対してこの操作を行わねばならない。しかし本発明では既述のごとく各種データ設定用パソコンによる操作にて、複数台の受信機を一括記憶設定することができ、省力化に大いに貢献することができる。
本発明は、新たな送信装置を設けることなく、既存の有線放送送信設備に、有線放送の周波数設定情報送信機能を付加することができ、分配接続される有線放送受信機では，何らかの操作は不要で、各設定は一括して自動的になされるなど従来にない新規かつ有用なる手段を提供することができる。
【符号の説明】
【００１２】  １    屋内有線放送送信装置
２    各種データ設定用パソコン
３    各種データ送信波
４    有線放送送信波
５    分配器
６    屋内有線放送受信機
７    分配器
８    ＦＭ受信機
９    データ受信機
１０  制御用マイコン
１１  表示器
２０  屋内有線放送送信装置
２１  分配器
２２  屋内有線放送受信機
２３  ＦＭ受信機
２４  操作スイッチ（ＳＷ）
２５  制御用マイコン
２６  表示器
３０  屋内有線放送送信装置
３１  分配器
３２  屋内有線放送受信機
３３  ＦＭ受信機
３４  操作スイッチ
３５  パソコン
３６  制御用マイコン
３７  表示器
【図１】
2020036301.tif 000003
【図２】
2020036301.tif 000004
【図３】
2020036301.tif 000005
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
放送送信機とデータ送信機とを内蔵する屋内有線放送送信装置を設けるとともに、該データ送信機に各種データ設定用パソコンを接続し、該放送送信機からの送出信号と該データ送信機からの送出信号を合成する手段を屋内有線放送信装置内に設け、この合成信号を各屋内有線放送受信機に分配するための複数個の分配器を設け、該屋内有線放送受信機内に、該分配器から送られてくる信号を分配してＦＭ受信機とデータ受信機に出力される信号を分配出力する分配器と、ＦＭ受信機と、データ受信機と、制御用マイコンと、有線放送波の局名・周波数・音量を表示する表示器とを設けたことを特徴とする有線放送受信機の全チャンネル周波数遠隔一括記憶設定装置。
【請求項２】
屋内有線放送送信装置から分配器に向けて送出される有線放送送信波を、相互に干渉しないように一定以上の周波数間隔にて複数設定してなる請求項１記載の有線放送受信機の全チャンネル周波数遠隔一括記憶設定装置。
【手続補正２】
【補正対象書類名】明細書
【補正対象項目名】全文
【補正方法】変更
【補正の内容】
【発明の詳細な説明】
【技術分野】
【０００１】  この発明は、屋内有線放送設備における有線放送受信機の放送チャンネルの一括記憶設定装置に関する。
【背景技術】
【０００２】  従来より、屋内有線放送送信装置からの信号を分配器を介して設定する方法はあるが、本発明にて示すように、パソコンによる一括設定手段は現在のところ見当たらない。
【発明の概要】
【発明が解決しようとする課題】
【０００３】  屋内設置の有線放送設備では、有線放送送信装置から複数の有線放送波を送信して、複数個所に設置した有線放送受信機に分配して受信聴取するが、聴取チャンネルの選定を容易とするため、有線放送受信機ではあらかじめ複数の有線放送波チャンネル周波数を記憶設定しておく必要がある。しかし、有線放送受信機は分散して複数個所に設定されていることから、受信機毎に有線放送波チャンネル周波数を記憶設定するには手間がかかり、また運用中に有線放送波チャンネルの増減、変更を行う場合はより煩雑となる課題があった。
【課題を解決するための手段】
【０００４】  本発明では、分散して設置された複数の有線放送受信機にて、受信する複数の放送チャネルを記憶設定する方法として、有線放送受信機毎に設定するのではなく、設置されている有線放送送信装置から送信する全チャンネル周波数の設定記憶信号を、有線放送伝送設備から分配して接続されている有線放送受信機で同時に受信し全受信チャンネル周波数を自動で一括記憶設定するものとした。
すなわち、
放送送信機とデータ送信機とを内蔵する屋内有線放送送信装置を設けるとともに、該データ送信機に各種データ設定用パソコンを接続し、該放送送信機からの送出信号と該データ送信機からの送出信号を合成する手段を屋内有線放送信装置内に設け、この合成信号を各屋内有線放送受信機に分配するための複数個の分配器を設け、該屋内有線放送受信機内に、該分配器から送られてくる信号を分配してＦＭ受信機とデータ受信機に出力される信号を分配出力する分配器と、ＦＭ受信機と、データ受信機と、制御用マイコンと、有線放送波の局名・周波数・音量を表示する表示器とを設ける。
本発明は、以上の構成よりなる有線放送受信機の全チャンネル周波数遠隔一括記憶設定装置である。
【発明の効果】
【０００５】  本発明では有線放送受信機において、有線放送波の全受信チャンネル周波数の記憶設定操作を、有線放送受信機毎に行うことなく、有線放送波送信装置の操作のみで、分配接続されている有線放送受信機に、全受信チャンネルの記憶設定を一括で行うことが可能となり大幅な省力化が実現できる。
従来は、有線放送受信機のチャンネル周波数の記憶設定は、個別の有線放送受信機毎に、チャンネル毎もしくは全チャンネルを一括して行っていたが、本発明方式を実施することで、個別の有線放送受信機を操作することなく、有線放送送信装置から送られる全チャンネル周波数の一括記憶設定信号により、接続される有線放送受信機の全チャンネル周波数を遠隔で記憶設定することが可能となる。
【図面の簡単な説明】
【０００６】
【図１】本発明の構成説明図
【図２】従来方式の構成説明図
【図３】従来方式の他例構成説明図
【発明を実施するための形態】
【０００７】  以下、本発明の実施形態について説明する。
この発明の実施形態を、図１に示す。１が屋内有線放送送信装置で、放送波送信機（放送送信機）と、データ送信機から構成されている。２は送信する各種データを設定するパソコンで、有線放送波の全チャンネル周波数設定情報をデータ送信機へ送り、このパソコンからの制御により屋内有線放送送信装置に接続されている、全有線放送受信機へ向け有線放送波の全チャンネル周波数設定記憶情報を送信する機能を持つ。
３と４が屋内有線放送送信装置から送られる送信波の構成で、３はデータ送信機から送信される各種のデータ送信波で、送信データの中に有線放送波の全チャンネル周波数を記憶設定する情報を含んでいる。４は有線放送送信波で、相互に干渉しないように一定以上の周波数間隔にて複数が設定されている。
【０００８】  ５が有線放送波及び各種データ信号の分配器で、１の屋内有線放送送信装置から送信されてくる信号を分配して、６の屋内有線放送受信機に出力する。７から１１は屋内有線放送受信機の内部構成である。７は分配器で、送られてくる信号を分配してＦＭ受信機とデータ受信機に出力する。８はＦＭ受信機で、屋内有線放送送信装置から送られてくる有線放送送信波を受信復調して音声出力する。
９はデータ信号受信機（データ受信機）で、屋内有線放送送信装置から送られてくる各種データ信号を受信し１０の制御用マイコンに受け渡す。制御用マイコンは、８のＦＭ受信機を制御して、聴取する有線放送チャンネル、音量の設定等を行う他、屋内有線放送送信装置から送られてくるデータ信号を解析して、有線放送の全チャンネル周波数を一括記憶設定する情報により有線放送の全チャンネルを記憶設定する。１１は屋内有線放送受信機の表示器で、有線放送波の局名、周波数、音量と各種情報を表示する。
以上が本発明の一実施形態である。
以上のように、本発明では各種データ設定用パソコンの操作にて、複数台設置されている屋内有線放送受信機の一括記憶設定を行うことができる。
【０００９】［従来法その１］
図２は、従来技術による有線放送チャンネル周波数の記憶設定方法である。２０は屋内有線放送送信装置で、有線放送波を送信する送信機のみで構成されている。
２１は分配器で、屋内有線放送送信装置から送信される有線放送波信号を分配して２２の屋内有線放送受信機に出力する。
２３から２６は屋内有線放送受信機の構成を示したもので、２３はＦＭ受信機で、屋内有線放送送信装置から送られてくる有線放送波信号を受信復調して音声を出力する。
２４は操作用スイッチで、あらかじめ決められた方法で操作スイッチを操作することで、２５の制御用マイコンに放送波チャンネル周波数の記憶設定信号を送り、有線放送チャンネル周波数、チャンネル番号を、２５のマイコンに記憶させる。
２６は表示器で、本発明同様に有線放送波の局名、周波数、音量その他の各種情報を表示する。この従来法では、屋内有線放送受信機毎に操作スイッチの操作にて、各種の細かな設定を行わねばならないという煩雑さがある。
【００１０】［従来法その２］
図３が別の従来技術による放送波全チャンネル周波数記憶設定方法を説明した図で、３０が屋内有線放送送信装置で、放送波送信機のみで構成され、複数の有線放送波を送信する。３１は分配器で、屋内有線放送送信装置から送信される有線放送波信号を分配して３２の屋内有線放送受信機に出力する。
３３から３７は屋内有線放送受信機の内部構成を示したもので、３３はＦＭ受信機で、屋内有線放送送信装置から送られてくる有線放送波信号を受信復調して音声を出力する。
３４は操作スイッチで、このスイッチを操作することで３６の制御用マイコンに、聴取する有線放送波チャンネル番号、復調音量等の操作信号を送る。この制御用マイコンは３４の操作スイッチからの操作信号をもとに、３３のＦＭ受信機に有線放送波チャンネル周波数の設定、復調音量設定等の信号を送り、３７の表示器に有線放送波チャンネル番号、周波数、復調音量の表示信号を送る。
３５は、３６の制御用マイコンに有線放送波全チャンネルの周波数記憶設定用データを送るパソコンで、３６の制御用マイコンは、パソコン３５から送られる有線放送波全チャンネルの周波数記憶設定用データを受信してこのマイコンに記憶する。
この従来法では、前の従来法に比べパソコンでの各種設定が可能であって、各屋内有線放送受信機毎の細かな設定をパソコンで行う便利さはあるが、しかし、この設定は各受信機毎に行わねばならない。
【００１１】  以上、本発明および従来法について説明したが、本発明は各種データ設定用パソコンの操作にて、従来法ではなし得なかった複数台の屋内放送受信機の一括設定を可能とする、画期的とも云える利便性を有するものである。
従来法では、各受信機毎の設定が必要であり、最初に説明した従来法では、個別の受信機に対する操作スイッチによる個別の各種設定が必要である。
二番目に説明した従来法では、パソコンを用いた方法にて、個別の受信機の一括設定は可能であるものの各受信機に対してこの操作を行わねばならない。しかし本発明では既述のごとく各種データ設定用パソコンによる操作にて、複数台の受信機を一括記憶設定することができ、省力化に大いに貢献することができる。
本発明は、新たな送信装置を設けることなく、既存の有線放送送信設備に、有線放送の周波数設定情報送信機能を付加することができ、分配接続される有線放送受信機では，何らかの操作は不要で、各設定は一括して自動的になされるなど従来にない新規かつ有用なる手段を提供することができる。
【符号の説明】
【００１２】１    屋内有線放送送信装置
２    各種データ設定用パソコン
３    各種データ送信波
４    有線放送送信波
５    分配器
６    屋内有線放送受信機
７    分配器
８    ＦＭ受信機
９    データ受信機
１０  制御用マイコン
１１  表示器
２０  屋内有線放送送信装置
２１  分配器
２２  屋内有線放送受信機
２３  ＦＭ受信機
２４  操作スイッチ（ＳＷ）
２５  制御用マイコン
２６  表示器
３０  屋内有線放送送信装置
３１  分配器
３２  屋内有線放送受信機
３３  ＦＭ受信機
３４  操作スイッチ
３５  パソコン
３６  制御用マイコン
３７  表示器